(57)【特許請求の範囲】
【請求項１】
前面（１４；１４８；１４９）および背面（１５；１５８；１５９）と、前記前面（１４；１４８；１４９）から光を放射するために配置された前面照明手段（１１；１１８；１１９）と、前記背面（１５；１５８；１５９）から光を放射するために配置された背面照明手段（１２；１２８；１２９）と、制御ユニットとを有する少なくとも１つの光モジュール（１；１８；１９）を備えた照明装置であって、
前記少なくとも１つの光モジュールの前記制御ユニットは、前記前面照明手段（１１；１１８；１１９）および前記背面照明手段（１２；１２８；１２９）を調整するように配置され、
前記少なくとも１つの光モジュール（１；１８；１９）の前記制御ユニットが、インタフェースを備え、前記インタフェースを介して前記照明装置を較正装置（２１）に接続することができ、
前記少なくとも１つの光モジュール（１；１８；１９）の前記制御ユニットが、前記インタフェースを介して前記較正装置（２１）から較正信号を受信するように設計され、
前記少なくとも１つの光モジュール（１；１８；１９）の前記制御ユニットが、前記較正信号を評価することによって、前記少なくとも１つの光モジュール（１；１８；１９）を事前調整可能な光レベルに較正し、情報を表示するために前記前面照明手段（１１；１１８；１１９）を動的に調整し、前記較正された光レベルが一定になるように前記背面照明手段（１２；１２８；１２９）を前記動的に調整された前面照明手段（１１；１１８；１１９）に合わせて調整するように配置されている、照明装置。
【請求項２】
前記光レベルが前記前面照明手段（１１；１１８；１１９）によって放射された前記光（４）の部分（４１）、および前記背面照明手段（１２；１２８；１２９）によって放射されてさらに反射された前記光（５）の部分（５１）から構成され、前記少なくとも１つの光モジュール（１；１８；１９）の前記制御ユニットが、前記前面照明手段（１１；１１８；１１９）によって放射された前記光（４）の前記部分（４１）に対する、前記背面照明手段（１２；１２８；１２９）によって放射され、さらに反射された前記光（５）の前記部分（５１）の係数を一定に保つように設計されている、請求項１に記載の照明装置。
【請求項３】
前記少なくとも１つの光モジュール（１；１８；１９）の前記制御ユニットが、前記前面照明手段（１１；１１８；１１９）が変化した場合に、前記背面照明手段（１２；１２８；１２９）を前記前面照明手段（１１および１１８；１１９）の前記変化に反比例して変化させるように配置されている、請求項１または２に記載の照明装置。
【請求項４】
前記少なくとも１つの光モジュール（１；１８；１９）の前記制御ユニットが、プロセッサ、ワーキングメモリ、およびデータメモリを有する回路板（１３；１３８；１３９）を備え、前記回路板（１３；１３８；１３９）が前記前面照明手段（１１；１１８；１１９）と前記背面照明手段（１２；１２８；１２９）との間に配置されている、請求項１から３のいずれか一項に記載の照明装置。
【請求項５】
前記少なくとも１つの光モジュール（１；１８；１９）の前記前面照明手段（１１；１１８；１１９）が有機発光ダイオードを備えるか、前記少なくとも１つの光モジュール（１；１８；１９）の前記背面照明手段（１２；１２８；１２９）が有機発光ダイオードを備えるか、または前記少なくとも１つの光モジュール（１；１８；１９）の前記前面照明手段（１１；１１８；１１９）および前記少なくとも１つの光モジュール（１；１８；１９）の前記背面照明手段（１２；１２８；１２９）がそれぞれ、有機発光ダイオードを備える、請求項１から４のいずれか一項に記載の照明装置。
【請求項６】
前記少なくとも１つの光モジュール（１；１８；１９）の前記前面照明手段（１１；１１８；１１９）が動きに敏感であり、前記少なくとも１つの光モジュール（１；１８；１９）の前記制御ユニットが、前記前面照明手段（１１；１１８；１１９）によって検出された制御信号を評価することによって、前記前面照明手段（１１；１１８；１１９）および前記背面照明手段（１２；１２８；１２９）を調整するように設計されている、請求項１から５のいずれか一項に記載の照明装置。
【請求項７】
前記少なくとも１つの光モジュール（１；１８；１９）の前記制御ユニットがインターネットインタフェースを備える、請求項１から６のいずれか一項に記載の照明装置。
【請求項８】
前記少なくとも１つの光モジュール（１；１８；１９）の前記制御ユニットが少なくとも１つのセンサを備え、前記制御ユニットが前記センサによって検出された信号を評価することによって前記前面照明手段（１１；１１８；１１９）および前記背面照明手段（１２；１２８；１２９）を制御するように配置されており、前記少なくとも１つのセンサが好ましくは、明るさセンサ、存在センサ、赤外線センサ、音響センサ、熱センサ、マイクロホン、温度計、距離センサ、加速度センサ、およびカメラ、またはこれらの組合せから構成されるセンサ群のセンサである、請求項１から７のいずれか一項に記載の照明装置。
【請求項９】
周辺センサを備え、前記少なくとも１つの光モジュール（１；１８；１９）の前記制御ユニットが前記周辺センサによって検出された信号を評価することによって前記前面照明手段（１１；１１８；１１９）および前記背面照明手段（１２；１２８；１２９）を調整するように配置されている、請求項１から８のいずれか一項に記載の照明装置。
【請求項１０】
複数の導電性ロッド（６２）、および前記ロッド（６２）に接続された電源（６１）を有するホルダー（６）を備え、前記少なくとも１つの光モジュール（１；１８；１９）が横方向集電装置を有し、前記ロッド（６２）が、前記ロッド（６２）間に前記少なくとも１つの光モジュール（１；１８；１９）をクランプし、このプロセスにおいて前記少なくとも１つの光モジュール（１；１８；１９）の前記集電装置に接触するように配置されている、請求項１から９のいずれか一項に記載の照明装置。
【請求項１１】
複数の同一の光モジュール（１；１８；１９）を備え、前記光モジュール（１；１８；１９）のそれぞれがノードを形成するネットワークを形成するように、前記複数の光モジュール（１；１８；１９）が互いに接続されている、請求項１から１０のいずれか一項に記載の照明装置。
【請求項１２】
前面（１４；１４８；１４９）および背面（１５；１５８；１５９）と、前記前面（１４；１４８；１４９）から光を放射するために配置された前面照明手段（１１；１１８；１１９）と、前記背面（１５；１５８；１５９）から光を放射するために配置された背面照明手段（１２；１２８；１２９）と、制御ユニットであって、前記前面照明手段（１１；１１８；１１９）および前記背面照明手段（１２；１２８；１２９）を調整するように設計されている、制御ユニットと、を有する少なくとも１つの光モジュール（１；１８；１９）を備える照明装置を制御する方法であって、
前記少なくとも１つの光モジュール（１；１８；１９）を事前調整可能な光レベルに較正するステップと、
情報を表示するために前記前面照明手段を動的に調整するステップと、
前記少なくとも１つの光モジュール（１；１８；１９）の前記較正された光レベルが一定となるように、前記背面照明手段を前記動的に調整された前面照明手段（１１；１１８；１１９）に合わせて適応的に調整するステップと、
を特徴とする方法。
【請求項１３】
前記光レベルが、前記前面照明手段（１１；１１８；１１９）によって放射された前記光（４）の部分（４１）、および前記背面照明手段（１２；１２８；１２９）によって放射されてさらに反射された前記光（５）の部分（５１）から構成され、前記前面照明手段（１１；１１８；１１９）によって放射された前記光（４）の前記部分（４１）に対する、前記背面照明手段（１２；１２８；１２９）によって放射され、さらに反射された前記光（５）の前記部分（５１）の比が一定に保たれる、請求項１２に記載の方法。
【請求項１４】
前記背面照明手段（１２；１２８；１２９）によって放射されてさらに反射された前記光（５）の部分（５１）が、一定の係数と前記前面照明手段（１１；１１８；１１９）によって放射された前記光（４）の部分（４１）との積に相当する、請求項１２または１３に記載の方法。
【請求項１５】
前記前面照明手段（１１；１１８；１１９）が変化した場合に、前記背面照明手段（１２；１２８；１２９）を前記前面照明手段（１１、１１８；１１９）の前記変化に反比例するように変化させる、請求項１４に記載の方法。
【発明の詳細な説明】
【技術分野】
【０００１】
本発明は、独立請求項１の前文に記載の照明装置ならびに関連する制御方法に関する。
【０００２】
前面および背面と、前面から光を放射するために配置された前面照明手段と、背面から光を放射するために配置された背面照明手段と、制御ユニットであって、前面照明手段および背面照明手段を調整するように構成された、制御ユニットと、を有する少なくとも１つの光モジュールを備えるそのような照明装置は、例えば、空間を照明する、または内側表面もしくは外側表面を照明するために使用されることがある。
【背景技術】
【０００３】
今日、種々様々のタイプの照明装置が、外部空間および内部空間を照明するために使用されている。例えば、壁または天井に直接取り付けられるか、地面もしくは別の表面に位置付けられるか、またはつり下げて設置される照明装置が普及している。光を生成するために様々な照明手段が使用されており、発光ダイオード（ＬＥＤ）を備える照明手段が様々な理由で人気が高まっている。例えば、ＬＥＤは、柔軟に使用することができ、比較的長い耐用年数を有し、比較的エネルギー効率の良いやり方で動作させることができる。ごく最近では、有機発光ダイオード（ＯＬＥＤ）が照明手段としてますます用いられるようになっている。ＯＬＥＤは、有機半導体材料から作られた発光薄層部品であり、電流密度および輝度が比較的低く、単結晶材料を必要としないという点で従来のＬＥＤと異なる。従来のＬＥＤと比較して、ＯＬＥＤは、薄層技術を使用して、安価に、任意の形態で製造することができる。
【０００４】
好ましい発光特性を生成するためには、照明装置がその前面およびその背面から光を同時に放射することがしばしば好都合である。特に、均一の低コントラストの照明はこのようにして生成され得る。例えば、そのような照明装置は、前面から前面空間に光を放射する前面照明手段、および背面から背面空間に光を放射する背面照明手段を備える。典型的には、照明装置は、前面照明手段が、照明される内部空間もしくは外部空間またはターゲット空間に光を直接放射することができ、背面照明手段が、例えば、天井または壁によって反射された光をターゲット空間に間接的に放射するように取り付けられる。一緒になって、前面および背面照明手段は、このようにしてターゲット空間に好ましい光レベルを生成することができる。
【０００５】
このことに加えて、最新の照明装置は、ますます柔軟に調整または構成され得る。例えば、ユーザは、しばしば、明るさまたは色などのある特定の光特性を適応させることができる。ある特定の発光特性に自動的に適応するように照明装置を設計することもできる。例えば、誰かが近辺にいる場合は明るさを上げ、または近辺に誰もいない場合はスイッチを切るライトが知られている。
【０００６】
公知の照明装置の欠点は、光特性が変化する場合に、照明される空間内の光レベルが変化する場合があることである。例えば、前面照明手段の光の色を調整する場合、ターゲット空間の光レベルが変化し、この光レベルが背面照明手段の反射光によってさらに影響を受ける。ターゲット空間の照明に悪影響を及ぼさずに、照明装置の光特性を適応させることは、典型的には複雑であり、困難である。特に、比較的頻繁にまたは急速に発光特性を変化させる場合、例えば、情報が前面照明手段を介して表示される場合などでは、この悪影響は、望ましくない程度にまで及ぶ可能性がある。
【発明の概要】
【０００７】
したがって、本発明の目的は、ターゲット空間の照明に及ぼす悪影響を最小限にしながらターゲット空間の光特性を適応させることができる照明装置または照明装置のための制御方法を提案することである。
【０００８】
本目的は、独立請求項１に規定されるような照明装置、および独立請求項１４に規定されるような方法によって、本発明により達成される。本発明の有利な代替の実施形態は、従属請求項から生じる。
【０００９】
本発明の本質は、以下の通りである。照明装置は、前面および背面を有する少なくとも１つの光モジュールを備える。少なくとも１つの光モジュールは、前面から光を放射するために配置された前面照明手段と、背面から光を放射するために配置された背面照明手段と、制御ユニットと、を備える。制御ユニットは、前面照明手段および背面照明手段を調整するように設計される。加えて、少なくとも１つの光モジュールの制御ユニットは、光モジュールを事前調整可能な光のレベルに較正し、情報を表示するために前面照明手段を動的に調整し、較正された光レベルが一定となるように、背面照明手段を動的に調整された前面照明手段に合わせて適応的に調整するように設計される。
【００１０】
本発明の文脈において、用語「光レベル」は、ターゲット位置またはターゲット空間において知覚される光レベルに関連することができる。本文脈において、照明装置の動作中の光レベルは、ユーザまたはユーザグループによって知覚され得る。光レベルは、ターゲット空間の光の強度と相互に関連することができる。光レベルは、例えば、ターゲット空間の特定の用途のために必要な、ターゲット空間の知覚される照明を表わすことができる。
【００１１】
前面および背面照明手段を設定するために、制御ユニットは、信号を生成し、照明手段に信号を送信することができる。知られているように、信号は、技術的な意味で、情報の一部に関連付けられた測定可能な物理変数、例えば、電圧または電界強度などに相当する。そのような信号は、様々な、公知のやり方で生成され、送信され、受信され、評価され得る。上記および下記のように、制御ユニットによって前面および／または背面照明手段に対して実行される設定はすべて、制御ユニットによって生成され、前面または背面照明手段に送信される信号によって実施され得る。
【００１２】
較正するために、光レベルは、例えば、カメラまたは光強度センサなどの較正装置よって検出または測定され得る。較正装置は、照明装置の制御ユニットに接続され、制御ユニットに較正信号を送信することができる。較正装置は、特に、ターゲット空間内に設置されてもよく、ターゲット空間またはターゲット位置は、照明される、または照明装置によって照明されることが意図された空間または位置であってもよい。較正中にまたは較正前に、特に、ターゲット位置またはターゲット空間の光レベルを事前調整することができる。光レベルは、その場合、このターゲット位置またはターゲット空間で一定である。
【００１３】
本発明によると、したがって、照明装置の少なくとも１つの光モジュールは、前面照明手段または前面照明手段の多様性に関する情報をターゲット空間に送信し、あるいはターゲット空間に情報を表示することができる。同時に、光モジュールの制御ユニットは、ターゲット空間の光レベルを事前調整されたように一定に、または事実上一定に保つことができるように、背面照明手段を自動的に適応させる。このようにして、前面照明手段が情報を表示するために使用されていても、照明装置は、ターゲット空間の照明に対する悪影響が最小限になるように、ターゲット空間の光特性に影響を及ぼすことができる。
【００１４】
好ましくは、光レベルは、前面照明手段によって放射された光の部分、および背面照明手段によって放射されてさらに反射された光の部分から構成され、少なくとも１つの光モジュールの制御ユニットは、前面光モジュールによって放射された光の部分に対する、背面光モジュールによって放射され、さらに反射された光の部分の係数を一定に保つように設計される。
【００１５】
本文脈において、用語「係数」は、数学的な意味での乗算のオペランドを指すことができる。加えて、用語「反射された」は、背面照明手段によって放射された光のターゲット空間への反射を指すことができる。物理学では、反射は、波のインピーダンスまたは伝播媒体の屈折率が変化する界面での波の逆転を意味する。この背景に対して、本発明に関しては、伝播媒体は、空気であってもよく、界面は、光モジュールの背面に面する壁もしくは天井の表面または別の表面であってもよい。典型的には、光は、反射中にその強度の一部を失う。
【００１６】
したがって、背面照明手段によって放射された光波は、界面で反射され、少なくとも部分的にターゲット空間に向け直される。前面照明手段は、少なくとも部分的にターゲット空間に光を直接放射することができる。ターゲット空間の光レベルは、こうして、前面照明手段によって直接放射された光の部分と、背面照明手段によって放射されターゲット空間に反射された光の部分との混合物によって決定される。
【００１７】
前面照明手段によって放射された光の部分に対する背面照明手段によって放射されてさらに反射され光の部分の係数を一定に保つことによって、ターゲット空間の光レベルも効率的なやり方で一定に保つことができる。例えば、前面照明手段によって放射された光の部分が、例えば、情報再生のために減少する場合、制御ユニットは、したがって、放射された光に係数を乗算することによって背面照明手段を調整することができ、その結果、ターゲット空間の光レベルは、一定のままとなる。
【００１８】
少なくとも１つの光モジュールの制御ユニットは、前面照明手段が変化した場合に、背面照明手段を前面照明手段の変化に反比例して変化させるように好ましくは設計される。例えば、前面照明手段によってターゲット空間に直接放射された光の光強度を、情報を表示するために増加させることがある。そのような場合、背面照明手段によってターゲット空間に放射される光の光強度を比例して減少させる。背面照明手段によって放射された光を前面照明手段によって放射された光の増加と比較してある倍数だけ減少させるように、上で説明した係数を使用することができる。このようにして、光レベルを単純で効率的なやり方で一定に保つことができる。
【００１９】
少なくとも１つの光モジュールの制御ユニットは、好ましくは、プロセッサ、ワーキングメモリ、およびデータメモリを有する回路板を備え、回路板は、前面照明手段と背面照明手段との間に配置される。少なくとも１つの光モジュールのそのような構成によって、強力な制御ユニットを平面構造で生産することができる。
【００２０】
好ましくは、少なくとも１つの光モジュールの前面照明手段および背面照明手段は、それぞれ、またはこれらの照明手段の少なくとも１つは、有機発光ダイオードを備える。有機発光ダイオード（ＯＬＥＤ）は、任意の好ましい基本形状または表面形状を有することができる。例えば、ＯＬＥＤは、矩形、正方形、円、楕円、三角形などで形成されてもよい。特に、制御ユニットが上述したように回路板によって実現される場合、光モジュールのコンパクトまたはフラットな構成を、例えば、サンドイッチ構造で、有機発光ダイオードによって実現することができる。照明装置の非常に効率的な動作もＯＬＥＤ照明手段によって実現することができる。
【００２１】
少なくとも１つの光モジュールの前面照明手段は、好ましくは、動きに敏感であり、少なくとも１つの光モジュールの制御ユニットは、前面照明手段によって検出された制御信号を評価することによって、前面照明手段および背面照明手段を調整するように設計される。例えば、前面照明手段は、タッチセンシティブであってもよい。したがって、ユーザによる前面照明手段のタッチによって、照明装置を、調整、例えば、オンまたはオフ、減光などを行うことができる。また、前面照明手段は、例えば、非接触で近接する動きを検出するように容量的に設計されてもよい。したがって、照明装置を、例えば、非接触のスワイプ動作によって、調整することができる。
【００２２】
少なくとも１つの光モジュールの制御ユニットは、好ましくは、インタフェースを備え、インタフェースを介して照明装置を較正装置に接続することができ、制御ユニットは、インタフェースを介して較正装置から較正信号を受信し、較正信号を評価することによって光モジュールを事前調整可能な光レベルに較正するように設計される。較正装置は、例えば、カメラまたは明るさセンサであってもよい。特に、較正装置を、スマートフォンまたはタブレットとすることもできる。較正信号は、例えば、明るさまたは光強度に関する情報を含むことができる。インタフェースは、特にワイヤレス接続のために提供されてもよい。例えば、インタフェースは、送信器／受信器を有するＷＬＡＮアダプタまたはブルートゥースアダプタであってもよく、あるいはそのようなアダプタを備えることができる。頭字語「ＷＬＡＮ」は、ローカル無線ネットワークとしてのワイヤレスローカルエリアネットワークを意味すると理解される。典型的には、ＷＬＡＮは、ＩＥＥＥ−８０２．１１ファミリー規格に従って確立される。
【００２３】
少なくとも１つの光モジュールの制御ユニットは、好ましくは、インターネットインタフェースを備える。有利な実施形態において、インターネットインタフェースは、較正装置を接続することができるインタフェースと同一である。特に、インターネットインタフェースは、インターネットへのワイヤレス接続のためのＷＬＡＮアダプタとして提供されてもよい。前面照明手段を介して制御ユニットによって表示される情報は、インターネットを介して取得されてもよい。例えば、天候に関する情報がインターネットを介して取得され、照明装置に表示されてもよい。
【００２４】
少なくとも１つの光モジュールの制御ユニットは、好ましくは、少なくとも１つのセンサを備え、制御ユニットは、センサによって検出された信号を評価することによって前面照明手段および背面照明手段を調整するように設計される。センサ信号を評価することよってさらに改善されたやり方でターゲット空間の光レベルを一定に保つことができる。例えば、太陽光によって生成される基本的な明るさは、例えば、明るさセンサによってターゲット空間に含まれることがある。その結果、ターゲット空間における一定の光レベルの品質を、さらに改善することができる。加えて、センサを介して情報も取得することができ、その情報を前面照明手段によって表示することができる。例えば、複数の照明手段を有する照明装置の用途ではそれぞれの照明手段の少なくとも１つのセンサは、光センサを備えることができる。照明装置を一定の明るさに調整するとき、周辺光が変化した場合に、目に見える発振が生じることがある。そのような用途では、例えば、人が照明装置を通り過ぎ、したがって、短時間、周辺光を変化させるときに、突然のポスト発振が生成されることがある。
【００２５】
本文脈において、少なくとも１つのセンサは、明るさセンサ、存在センサ、赤外線センサ、音響センサ、熱センサ、マイクロホン、温度計、距離センサ、加速度センサ、およびカメラ、またはこれらの別の組合せから構成されるセンサ群のセンサである。そのようなセンサからの情報は、照明装置の異なる用途において特に有利になる場合がある。特に、これらのセンサのすべての組合せ、またはこれらのセンサの特定の選択が有利である場合がある。
【００２６】
照明装置は、好ましくは、周辺センサを有し、少なくとも１つの光モジュールの制御ユニットは、周辺センサによって検出された信号を評価することによって前面照明手段および背面照明手段を調整するように設計される。周辺センサは、例えば、明るさセンサ、存在センサ、赤外線センサ、音響センサ、熱センサ、マイクロホン、温度計、距離センサ、加速度センサ、またはカメラであってもよい。周辺センサは、照明装置の光モジュールから遠隔に位置付けられてもよい。例えば、周辺センサは、任意の場所に設置された、インターネットを介して光モジュールに接続されたカメラであってもよい。その場合、光モジュールの制御ユニットは、カメラまたは別のセンサによって検出された信号を評価し、前面および背面照明手段を調整することができる。このようにして、照明装置に関する周辺情報を表示することができる。例えば、周辺センサは、光が外側から入ることができない部屋（窓のない部屋）に建物の外側から光信号を送信することができる。あるいは、情報は、世界の別の場所で検出され、照明装置に送信され、照明装置によって表示されてもよい。照明装置のそのような実施形態によって、複数の新規な場所依存性のない用途が可能になる。
【００２７】
光モジュールは、背面取付けホルダーを有することができ、このホルダーによって、光モジュールを、例えば、壁に取り付けることができ、または懸架装置によって天井に取り付けることができる。あるいは、照明装置は、好ましくは、複数の導電性ロッドおよびロッドに接続された電源を有するホルダーを備え、少なくとも１つの光モジュールは、横方向集電装置を有し、ロッドは、ロッド間に光モジュールをクランプし、このプロセスにおいて少なくとも１つの光モジュールの集電装置と接触するように配置される。その結果、ロッドを介して光モジュールに効率的に電流を供給することができる。ホルダーは、自立するように、または例えば、天井などの支持構造に取り付けられるように設計されてもよい。光モジュールは、少なくとも２つの隣接するロッド間に自由に位置付けられ得る。特に、照明装置において複数の光モジュールを使用する場合、これによって柔軟に設定可能な配置が可能になる。したがって、本照明装置を、異なる用途に適応させることができる。
【００２８】
照明装置は、複数の同一の光モジュールを備えるのが好ましく、複数の光モジュールが、光モジュールのそれぞれがノードを形成するネットワークを形成するように互いに接続される。このようにして、照明装置は、ピクセルベースのシステムとして生産され得る。これによって、照明システムの多目的で多様な用途が可能になる。光モジュールは、ネットワークを介して互いに通信し、情報を交換することができる。
【００２９】
本発明の別の態様は、前面および背面と、前面から光を放射するために配置された前面照明手段と、背面から光を放射するために配置された背面照明手段と、制御ユニットと、を有する少なくとも１つの光モジュールを有する照明装置を制御するための方法に関する。制御ユニットは、前面照明手段および背面照明手段を調整するように設計される。本方法は、以下のステップ、すなわち、（ｉ）光モジュールを事前調整可能な光のレベルに較正するステップと、（ｉｉ）情報を表示するために前面照明手段を動的に調整するステップと、（ｉｉｉ）光モジュールの較正された光レベルが一定となるように、背面照明手段を動的に調整された前面照明手段に合わせて適応的に調整するステップと、を含む。
【００３０】
ステップ（ｉ）〜（ｉｉｉ）は、特に光モジュールの制御ユニットによって任意の順番で実行されてもよい。あるいは、これらのステップを、光モジュールの制御ユニットに接続された外部制御ユニットによって実行することもできる。そのような配置では、外部制御ユニットは、少なくとも１つの光モジュールの制御ユニットに信号を送信し、次いでこの信号に基づいて制御ユニットが前面および背面照明手段を調整する。本発明による方法によって、ターゲット空間の照明の悪化が最小限となるように効率的なやり方でターゲット空間の光特性に影響を及ぼすことができる。
【００３１】
本方法では、光レベルは、前面照明手段によって放射された光の部分、および背面照明手段によって放射されてさらに反射された光の部分から好ましくは構成され、前面照明手段によって放射された光の部分に対する、背面照明手段によって放射され、さらに反射された光の部分の比が一定に保たれる。この比が一定に保たれるため、ターゲット空間の光レベルも効率的なやり方で一定に保たれ得る。
【００３２】
背面照明手段によって放射されてさらに反射された光の部分は、好ましくは一定の係数と前面照明手段によって放射された光の部分との積に相当する。前面照明手段が変化した場合、背面照明手段を、好ましくは、前面照明手段の変化に反比例して変化させる。
【００３３】
本発明のさらなる有利な実施形態は、概略図を用いて本発明の例示的な実施形態の以下の記載から生じる。特に、本発明による照明装置および本発明による方法は、例示的な実施形態に基づいて添付図面を参照して、以下でより詳細に記載される。
【図面の簡単な説明】
【００３４】
【図１】本発明による照明装置の第１の例示的な実施形態の光モジュールの概略断面図である。
【図２】図１の光モジュールのさらなる概略断面図である。
【図３】図１の光モジュールの別のさらなる概略断面図である。
【図４】図１の照明装置の複数の光モジュールの第１の可能な配置である。
【図５】図１の照明装置の複数の光モジュールの第２の可能な配置である。
【図６】本発明による照明装置の第２の例示的な実施形態の２つの光モジュールの概略断面図である。
【図７】本発明による照明装置の第３の例示的な実施形態の２つの光モジュールの概略断面図である。
【図８】本発明による照明装置の光モジュールのためのホルダーの概略正面図である。
【図９】図８のホルダーの概略側面図である。
【発明を実施するための形態】
【００３５】
ある特定の表現は、以下の記載では実際的な理由で使用され、限定していると解釈されるべきではない。単語「右の」、「左の」、「下へ」、および「上へ」は、参照される図面内での方向を指定する。表現「内向きに」、「外向きに」、「の下に」、「の上に」、「左の」、「右の」などは、図に描かれているように、指定された部分の互いに対する配置と、指定された部分の互いに対する動きと、照明装置ならびに照明装置の名前付き部分の幾何学的中心に向かうまたは離れる方向と、を記述するために使用される。また、これらの相対的な空間的な指示は、図に描かれたもの以外の他の位置および位置調整を含む。例えば、図に描かれた部分を回転させる場合、「の下に」として記載された要素または特徴は、その場合「の上に」となる。用語は、明示的に上で言及された単語、その派生語、および同様の意味の単語を包含する。
【００３６】
図において、ならびに異なる態様および例示的な実施形態の関連する記載において、繰り返しを回避するために、ある特定の特徴は、異なる態様および例示的な実施形態に共通のものとして理解されるべきである。記載または図からの態様の省略は、関連する例示的な実施形態においてこの態様が欠けていることを意味するものではない。むしろ、そのような省略は、明瞭にするために、および繰り返しを回避するために行われる場合がある。これに関連して、以下の明細書は、さらなる記載全体に適用される。図面を明瞭にするために参照符号が図には存在するが、直接関連する説明文で言及されていない場合は、先行する図の記載における参照符号の説明を参照するものとする。さらに、参照符号が図に直接関連する説明文で言及されてはいるが、関連する図に存在しない場合は、先行するおよび以降の図が参照されるものとする。２つ以上の図における同様の参照符号は、同様のまたは同一の要素を表わす。
【００３７】
図１は、本発明による照明装置の第１の例示的な実施形態の複数の光モジュール１の１つを示す。光モジュール１は、前面照明手段としての前面有機発光ダイオード１１（ＯＬＥＤ）、背面照明手段としての背面ＯＬＥＤ１２、および前面ＯＬＥＤ１１と背面ＯＬＥＤ１２との間にサンドイッチ構造でクランプされた回路板１３を備える。前面ＯＬＥＤ１１の光を放射する外側表面は、光モジュール１の前面１４を形成し、背面ＯＬＥＤ１２の光を放射する外側表面は、光モジュール１の背面１５を形成する。
【００３８】
光モジュール１は、背面１５が壁３に面し、前面１４が壁３と反対を向くように、壁３から所定の距離に取り付けられている。光モジュール１の前面１４は、照明装置によって照明されるべきターゲット空間２に面する。観察者または較正装置２１は、ターゲット空間２に位置する。
【００３９】
光モジュールの回路板１３には、光モジュールを動作させるための様々な電子部品が搭載されている。特に、プロセッサ、ワーキングメモリ、およびデータメモリは、回路板１３上に位置し、これらは共に、光モジュール１の制御ユニットに含まれている。回路板１３は、インターネットのインタフェースとしての、および較正装置２１のためのインタフェースとしてのＷＬＡＮアダプタと、一組のセンサと、前面ＯＬＥＤ１１および背面ＯＬＥＤ１２を動作させるための動作部品と、にさらに接続されている。
【００４０】
図１に示すように、前面ＯＬＥＤ１１は、壁３と反対向きの方向に前面光４を光モジュール１の前面空間に放射する。本プロセスでは、前面ＯＬＥＤ１１によって放射された光または前面光４の部分４１がターゲット空間２に放射され、較正装置２１によって検出され得る。図１に示す光モジュール１の状態では、背面ＯＬＥＤ１２は、光を放射していない。
【００４１】
図２から分かるように、背面ＯＬＥＤ１２は、壁３に背面光５を放射し、この光が壁３によって相当程度反射される。壁３によって反射された背面光５の部分５１は、本プロセスでターゲット空間２に向け直され、較正装置２１によって検出され得る。図２に示す光モジュール１の状態では、前面ＯＬＥＤ１１は、光を放射していない。
【００４２】
光モジュール１は、前面ＯＬＥＤ１１および背面ＯＬＥＤ１２の両方が光を放射する図３の状態で示されている。その際、前面光４の部分４１および反射された背面光５の部分５１が、ターゲット空間２で収束することは明らかである。２つの部分４１、５１は、ターゲット空間２に存在する光レベルにとって共に重要である。
【００４３】
図４では、光モジュール１が第１の配置で示されている。この場合、照明装置は、モジュール式の好ましいやり方で組み立てることができる１６個の光モジュール１を有していることが分かる。第１の配置では、光モジュール１は、４つの光モジュール１のいずれの場合も、４行４列で規則的に配置されている。このようにして、光モジュールは、共に正方形のフィールドを形成し、個々の光モジュール１がピクセル様のやり方で相互に作用する。
【００４４】
図５は、第２の配置の１６個の光モジュール１を示す。この場合、個々の光モジュール１は、オフセットされ、互いに対して回転して配置されている。光モジュール１は、任意の所望のやり方で組み合わされてもよく、したがって、本照明装置によって、高度の設計自由度が可能になる。
【００４５】
照明装置の動作中に、各光モジュール１は、一緒にワイヤレスネットワークを形成し、個々の光モジュール１は、いずれの場合もＷＬＡＮアダプタを介して互いに接続されたネットワークのノードである。照明装置は、任意選択でさらなる光モジュール１を補足することができ、または光モジュール１を取り外すことができる。光モジュールが必要に応じて配置される場合、光モジュールは、較正される。この目的のために、光モジュール１の前面ＯＬＥＤ１１および背面ＯＬＥＤ１２を、ターゲット空間２において好ましい光レベルに達するまで、調整し、適応させる。この光レベルは、例えば、スマートフォンであってもよい較正装置２１によって検出され、適切な信号によって個々の光モジュール１の制御ユニットに送信される。制御ユニットは、光モジュール１のＷＬＡＮアダプタおよびセンサを介して表示されるべき情報を決定する。その際、光モジュール１の前面ＯＬＥＤ１１が制御ユニットによって調整され、情報または情報の一部がターゲット空間に投影される。このようにして、前面ＯＬＥＤ１１は、動的におよび自動的に調整され、情報がターゲット空間の観察者によって検出され得る。
【００４６】
同時に、制御ユニットは、光モジュール１の背面ＯＬＥＤ１２も調整する。したがって、背面ＯＬＥＤは、ターゲット空間２の較正された光レベルが一定に保たれるように、いずれの場合も関連する前面ＯＬＥＤ１１に合わせて適応的に調整される。特に、前面ＯＬＥＤ１１によって放射された光の部分に対する、背面ＯＬＥＤ１２によって放射されてさらに反射された光５の部分５１の比は、一定に保たれる。情報を表示するために、例えば、光モジュール１のうちの１つの前面ＯＬＥＤ１１の光強度を増加させる場合、それに応じて同一の光モジュール１の背面ＯＬＥＤ１２の光強度を減少させる。
【００４７】
背面ＯＬＥＤ１２は、背面ＯＬＥＤ１２によって放射されてさらに反射された光５の部分５１が、一定の係数と前面ＯＬＥＤ１１によって放射された光４の部分４１との積に相当するという点で比較的効率的に適応させることができる。この点に関して、前面ＯＬＥＤ１１が変化した場合に、背面ＯＬＥＤ１２を前面ＯＬＥＤ１１の変化に反比例して変化させる。
【００４８】
個々の光モジュール１の制御ユニットは、いずれの場合も、前面ＯＬＥＤ１１によって放射された光４を変化させた場合にターゲット空間２の光レベルを維持するために、背面ＯＬＥＤ１２によって放射されるべき光５が数学的な式によって計算されるように、プログラムされ、または切り替えられてもよい。例えば、適切な数学的な式は、以下のように導出されてもよい。
【００４９】
含まれる変数は、第１に、前面ＯＬＥＤ１１によって放射された光レベルＳ１、および背面ＯＬＥＤ１２によって放射された光レベルＳ２、第２に、前面ＯＬＥＤ１１によって生成された光レベルの、ターゲット空間２で検出される部分Ｌ１、および背面ＯＬＥＤ１２によって生成された光レベルの、ターゲット空間（２）で検出される部分Ｌ２である。２つの光のレベルＳ１およびＳ２を同程度変化させた場合、典型的には、ターゲット空間２で検出される部分Ｌ１およびＬ２には異なる変化がある。したがって、ｋ＝ΔＬ１／ΔＬ２であり、ここで、定数ｋは、前面ＯＬＥＤ１１よりも背面ＯＬＥＤ１２によって生成される光の方がターゲット空間に達する部分がより小さいため、典型的には１よりも大きい。
【００５０】
定数ｋは、較正されるシステムの変数である。２つのＯＬＥＤ１１、１２によって生成される光のレベルの、ターゲット空間２で検出される量Ｌ１およびＬ２の変化は同じであるため、ΔＳ２＝ｋ＊ΔＳ１である。ターゲット空間２の光レベルを一定に保つために、ターゲット空間２における前面ＯＬＥＤ１１によって生成された光レベルの量Ｌ１の変化は、ターゲット空間２における背面ＯＬＥＤ１２によって生成された光レベルの量Ｌ２の対応する変化によって経時的に補償される。以下が成り立つ。すなわち、ｄ（Ｌ１）／ｄｔ＝−ｄ（Ｌ２）／ｄｔ。２つのＯＬＥＤ１１、１２は、したがって、ターゲット空間２の光レベルを一定に保つために、以下の式に従って制御ユニットによって調整され得る。
【００５１】
ｄ（Ｓ２）／ｄｔ＝−ｋ＊ｄ（Ｓ１）／ｄｔ
【００５２】
可能な固定方法を示すために、本発明による照明装置の第２の例示的な実施形態の複数の光モジュール１９のうちの２つが図６に示されている。大部分、光モジュール１９およびその動作方法は、先の図１〜図５の光モジュール１と同様である。
【００５３】
光モジュール１９は、それぞれ、前面照明手段としての前面ＯＬＥＤ１１９、背面照明手段としての背面ＯＬＥＤ１２９、および前面ＯＬＥＤ１１９と背面ＯＬＥＤ１２９との間にサンドイッチ構造でクランプされた回路板１３９を備える。前面ＯＬＥＤ１１９の光を放射する外側表面は、関連する光モジュール１９の前面１４９を形成し、背面ＯＬＥＤ１２９の光を放射する外側表面は、関連する光モジュール１９の背面１５９を形成する。
【００５４】
光モジュール１９は、それぞれ、ポスト、およびオープン形ＯＬＥＤソケットを有する取付け装置１６９を備える。光モジュール１９の取付け装置１６９のポストは、それぞれ、壁３９に水平に取り付けられている。光モジュール１９の取付け装置１６９のＯＬＥＤソケットは、光モジュール１９の壁３９方向の光放射ができる限り損なわれないように、背面ＯＬＥＤ１２９をオープンな態様で保持する。
【００５５】
代替の可能な固定方法を示すために、図７は、本発明による照明装置の第３の例示的な実施形態の複数の光モジュール１８のうちの２つを示す。大部分、光モジュール１９およびその動作方法は、先の図１〜図５の光モジュール１と同様である。
【００５６】
光モジュール１８は、それぞれ、前面照明手段としての前面ＯＬＥＤ１１８、背面照明手段としての背面ＯＬＥＤ１２８、および前面ＯＬＥＤ１１８と背面ＯＬＥＤ１２８との間にサンドイッチ構造でクランプされた回路板１３８を備える。前面ＯＬＥＤ１１８の光を放射する外側表面は、関連する光モジュール１８の前面１４８を形成し、背面ＯＬＥＤ１２８の光を放射する外側表面は、関連する光モジュール１８の背面１５８を形成する。
【００５７】
光モジュール１８は、それぞれ、取付けワイヤ１６８をさらに備える。取付けワイヤ１６８は、天井（３２８）に固定され、垂直下向きに垂れ下がっている。光モジュール１８は、取付けワイヤ１６８にクランプされ、したがって、背面ＯＬＥＤ１２８の光放射が壁３１８の方向に生じ、前面ＯＬＥＤ１１８の光放射が壁３１８と反対向きに生じるように水平に位置調整されている。光モジュール１８を動作させるための電源または電流源は、取付けワイヤ１６８を介して供給される。
【００５８】
図８および図９は、先の図に示すタイプの光モジュール１、１８、１９を取り付けるのに適したようなホルダー６を示す。ホルダー６は、ベース６１に固定された複数の導電性ロッド６２を備える。各ロッド６２は、ベース６１から上向きに延び、それぞれが４つの垂直区間および３つの斜角のついた斜め区間を有する。ベース６１は、パワーフィードとしてエネルギーを供給するように設計されている。
【００５９】
動作において、光モジュールは、それぞれ、２つの隣接するロッド６２間に挿入され、クランプされる。これらのロッドは、ホルダー６の任意の点に挿入することができ、これによって、大きな設計自由度が可能になる。光モジュールは、集電装置としての横方向接点を備え、この集電装置は、光モジュールがロッド６２間にクランプされたときにロッド６２と接触する。その結果、光モジュールは、ロッド６２を介して簡単なやり方で電流を供給することができる。光を生成するためにＯＬＥＤ技術を使用することによって、照明装置全体を低電圧範囲で動作させることができる。この場合、電圧は、電流搬送ロッド６２に対する保護手段を省くことができるほどに低くてもよい。
【００６０】
本発明は、図面および関連する説明によって詳細に描かれ、記載されているが、この描写およびこの詳細な記載は、本発明を例証および例示するものであって、限定するものではないと理解されるべきである。本発明を装飾しないために、ある場合には、よく知られている構造および技法は、図示されず、詳細に記載されていない場合がある。当業者が、以下の特許請求の範囲の範囲を超えることなく、変更および修正を行うことができるのは明らかである。特に、本発明は、明示的に記載された特徴の組合せから逸脱することがある任意の特徴の組合せを有するさらなる例示的な実施形態を包含する。
【００６１】
また、本開示は、異なる実施形態に関して、前でもしくは後で言及するまたは図示する特徴の任意の組合せを有する実施形態を含む。また、本発明は、個々の特徴が他の特徴に関連して図に示されており、および／または前でもしくは後で言及されていない場合でも、図の個々の特徴を含む。また、図および明細書に記載された実施形態に対する代替形態、ならびに実施形態の特徴に対する個々の代替形態は、本発明の主題からあるいは開示された主題から排除されることがある。本開示は、特許請求の範囲または例示的な実施形態に記載された特徴をもっぱら含む実施形態、ならびにさらなる他の特徴を含む実施形態を含む。
【００６２】
加えて、表現「備える」およびその派生語は、他の要素またはステップを排除しない。不定冠詞「１つの（ａ）」または「１つの（ａｎ）」およびその派生語は、同様に複数を排除しない。特許請求の範囲に列挙された特徴のいくつかの機能は、ユニットによって、またはステップによって実行されてもよい。特に、特性または値に関連して使用される用語「実質的に」、「約」、「ほぼ」なども、特性を精密に規定し、または値を精密に規定する。所与の数値または範囲に関連して使用される場合、用語「およそ」および「ほぼ」は、所与の値または範囲の２０％以内、１０％以内、５％以内、あるいは２％以内にある値または範囲を指すことができる。
【図１】
0006805238.tif 000002
【図２】
0006805238.tif 000003
【図３】
0006805238.tif 000004
【図４】
0006805238.tif 000005
【図５】
0006805238.tif 000006
【図６】
0006805238.tif 000007
【図７】
0006805238.tif 000008
【図８】
0006805238.tif 000009
【図９】
0006805238.tif 000010